(57)【特許請求の範囲】
【請求項１】
内部に光源から射出された光束の照明光軸が設定され、複数の光学部品を収納して前記照明光軸上の所定位置に配置する光学部品用筐体であって、
前記照明光軸上の所定位置に前記光学部品を配置するために、前記照明光軸に平行な方向、および前記照明光軸に直交する２方向に前記光学部品の位置を規制する外形位置基準面が形成され、
前記外形位置基準面に対して、前記光学部品を押圧固定する複数の付勢部材を収納するための複数の凹部が形成され、
前記複数の凹部は、
前記照明光軸に平行な方向に前記光学部品の位置を規制する前記外形位置基準面に対して前記光学部品を前記付勢部材にて押圧固定するために前記光学部品の光束入射側または光束射出側の端面に対向して形成された対向部と、
前記照明光軸に平行な方向、および前記照明光軸に直交する一方の方向に前記光学部品の位置を規制する各前記外形位置基準面に対して前記光学部品を前記付勢部材にて押圧固定するために前記光学部品の外周縁に対して傾斜して形成された傾斜部とを備えて構成され、
前記対向部および前記傾斜部は、前記照明光軸を挟んで互いに対向する位置にそれぞれ形成され、
前記複数の凹部は同一形状で構成された前記付勢部材を収納するように構成されていることを特徴とする光学部品用筐体。
【請求項２】
請求項１記載の光学部品用筐体において、
前記傾斜部は、前記光学部品の外周縁に対して略４５°傾斜していることを特徴とする光学部品用筐体。
【請求項３】
請求項１または請求項２に記載の光学部品用筐体に用いられる付勢部材であって、
前記付勢部材は、板状部材から構成され、略中央部分に位置する基部と、該基部の両端から断面略ハ字状に延出した腕部と、該腕部の先端から前記基部と平行に張り出した脚部と、一方の前記脚部から前記基部の方向に突出する係合部とを備えていることを特徴とする付勢部材。
【請求項４】
請求項１または請求項２に記載の光学部品用筐体において、
前記複数の光学部品が設置される下部筐体と、該下部筐体を閉塞する蓋状の上部筐体とを備え、
前記上部筐体の裏面には、前記付勢部材の係合部と係合する係合溝が形成され、
前記係合溝の内部には、溝の形成方向に突出する突起部が形成されていることを特徴とする光学部品用筐体。
【請求項５】
光源から射出された光束の光路上に配置される複数の光学部品と、内部に前記光束の照明光軸が設定され、前記複数の光学部品を収納して所定位置に配置する光学部品用筐体ととを備えた光学ユニットであって、
請求項１、請求項２、請求項４のいずれかに記載の光学部品用筐体と、請求項３に記載の付勢部材を備えていることを特徴とする光学ユニット。
【請求項６】
請求項５に記載の光学ユニットを備えていることを特徴とするプロジェクタ。
【発明の詳細な説明】
【０００１】
【発明の属する技術分野】
本発明は、内部に光源から射出された光束の照明光軸が設定され、複数の光学部品を収納して前記照明光軸上の所定位置に配置する光学部品用筐体、付勢部材、この光学部品用筐体を備えた光学ユニットおよびプロジェクタに関する。
【０００２】
【背景技術】
従来より、会議、学会、展示会等でのプレゼンテーションにプロジェクタを用いることが知られている。このようなプロジェクタは、その内部に複数の光学部品を収容し、これらの光学部品を用いることにより、光源から射出された光束を変調した後に拡大投写して投写画像を形成している。
このような光学部品として、光利用効率を高め、かつ、各種の光学収差をなくすために、光束分割素子である第１レンズアレイと、光源からこの第１レンズアレイを経由した光束を液晶パネル等の光変調装置側に伝達し、かつ、その光変調装置の画像形成領域上で重畳させる第２レンズアレイとが用いられている。これらの第１レンズアレイおよび第２レンズアレイは、光源寄りの所定位置にそれぞれ固定される。
そして、この固定時には、第１レンズアレイおよび第２レンズアレイと、これらに入射する光の光軸との相対位置が調整される。
通常、上記のような第１レンズアレイおよび第２レンズアレイは、接着またはばね等の付勢部材を用いて光学部品用筐体に固定されている。
【０００３】
【発明が解決しようとする課題】
しかしながら、上記のように、第１レンズアレイおよび第２レンズアレイを接着等で光学部品用筐体に固定した場合には、第１レンズアレイおよび第２レンズアレイが所定の照明光軸からずれて配置された際に、再度、位置調整を行うことが困難となってしまう。また、第１レンズアレイおよび第２レンズアレイを接着等で固定する際には、接着剤の乾燥時間が長くなり、プロジェクタの製造において、サイクルタイムが増加する、という問題がある。
さらに、第１レンズアレイおよび第２レンズアレイをばね等の付勢部材を用いて光学部品用筐体に固定する際には、照明光軸に平行な方向および照明光軸に直交する２方向の計３方向から位置決めする必要があり、３方向それぞれに対して異なる構造のばね体を用いていたので、第１レンズアレイおよび第２レンズアレイの固定構造が複雑化し、部品点数が増加することでコスト増加に繋がる、という問題がある。
【０００４】
本発明の目的は、光学部品の固定構造を簡素化して部品点数の増加を招くことなく、プロジェクタの製造におけるサイクルタイムを短縮できる光学部品用筐体、付勢部材、この光学部品用筐体を備えた光学ユニットおよびプロジェクタを提供することにある。
【０００５】
【課題を解決するための手段】
本発明の光学部品用筐体は、内部に光源から射出された光束の照明光軸が設定され、複数の光学部品を収納して前記照明光軸上の所定位置に配置する光学部品用筐体であって、前記照明光軸上の所定位置に前記光学部品を配置するために、前記照明光軸に平行な方向、および前記照明光軸に直交する２方向に前記光学部品の位置を規制する外形位置基準面が形成され、前記外形位置基準面に対して、前記光学部品を押圧固定する複数の付勢部材を収納するための複数の凹部が形成され、前記複数の凹部は、前記照明光軸に平行な方向に前記光学部品の位置を規制する前記外形位置基準面に対して前記光学部品を前記付勢部材にて押圧固定するために前記光学部品の光束入射側または光束射出側の端面に対向して形成された対向部と、前記照明光軸に平行な方向、および前記照明光軸に直交する一方の方向に前記光学部品の位置を規制する各前記外形位置基準面に対して前記光学部品を前記付勢部材にて押圧固定するために前記光学部品の外周縁に対して傾斜して形成された傾斜部とを備えて構成され、前記対向部および前記傾斜部は、前記照明光軸を挟んで互いに対向する位置にそれぞれ形成され、前記複数の凹部は同一形状で構成された前記付勢部材を収納するように構成されていることを特徴とするものである。
【０００６】
このような本発明によれば、光学部品用筐体には、光学部品を規制する外形位置基準面が形成され、該外形位置基準面に対して、光学部品を押圧固定する複数の付勢部材を備えていることにより、光学部品を光学部品用筐体に対して、接着剤等により固着する必要がなく、光学部品が所定の照明光軸上からずれた場合であっても、再度、光学部品の位置調整を行うことが容易となる。また、製造時において、接着剤等を用いた場合に生じる、接着剤の乾燥時間を考慮する必要がなく、サイクルタイムの低減を図ることができる。
また、複数の付勢部材は、同一形状で構成されていることにより、同一形状である付勢部材の１種類で、照明光軸に平行な方向、および照明光軸に直交する方向から、光学部品を光学部品用筐体に対して位置決めを行うことができる。
したがって、光学部品用筐体に対する光学部品の固定構造を簡素化し、部品点数を削減することでコスト低減を図ることができる。
また、複数の凹部が、対向部と傾斜部とを備えて構成されていることにより、対向部に付勢部材を配置することで、付勢部材により、光束入射方向または光束入射方向と反対の方向、すなわち、照明光軸に平行な方向に光学部品の位置を規制することができる。また、傾斜部に付勢部材を配置することで、付勢部材により、照明光軸に直交する方向および照明光軸に平行な方向の２方向に光学部品の位置を規制することができる。
したがって、複数の凹部が、傾斜部を備えていることにより、板状に形成された光学部品の位置を照明光軸に平行な方向に確実に規制する際に、複数の位置に対向部を配置する必要がなく、付勢部材を最低限の個数で構成することができ、コスト低減を図ることができる。
また、本発明の光学部品用筐体では、前記傾斜部は、前記光学部品の外周縁に対して略４５°傾斜していることが好ましい。
【０００７】
また、本発明の付勢部材は、光学部品用筐体に用いられる付勢部材であって、前記付勢部材は、板状部材から構成され、略中央部分に位置する基部と、該基部の両端から断面略ハ字状に延出した腕部と、該腕部の先端から前記基部と平行に張り出した脚部と、一方の前記脚部から前記基部の方向に突出する係合部とを備えていることを特徴とするものである。
このような構成では、付勢部材は、板状部材から構成され、基部、腕部、および脚部とを備えていることにより、該付勢部材の製造において、板材から、打抜きプレス加工、曲げ加工等の成形加工によって容易に製造することができ、コスト低減を図ることができる。
また、付勢部材は、基部、腕部、および脚部を備えていることにより、腕部と基部または脚部との開き角を大きくし、基部と脚部との平面位置を近接した状態にすれば、基部と脚部との平面位置が離間する方向に力を及ぼす、板ばね構造とすることができる。
したがって、付勢される被付勢部材と付勢部材を支持する部材との距離が小さく設定されていた場合でも、上記付勢部材を設置することができ、確実に被付勢部材を付勢することができる。
また、このような構成では、光学部品用筐体は、複数の凹部を有し、該凹部に付勢部材を収納した状態では、基部および腕部の一方は、凹部の端面と当接し、基部および腕部の他方は、光学部品と当接することにより、基部または腕部と対向する位置に、前記外形位置基準面が配置されるように、凹部を形成すれば、付勢部材における板ばね構造により、光学部品を外形位置基準面に押圧固定することができ、光学部品を所定の照明光軸上に配置することができる。
また、このような構成では、付勢部材は、係合部を備え、凹部に付勢部材を収納した状態で、係合部が、凹部から露出し、該凹部から挿抜可能であることにより、光学部品が所定の照明光軸上からずれた場合に、該係合部を把持して凹部から挿抜することで、再度、光学部品を位置決めすることができる。
したがって、光学部品に何らかの不具合があった場合には、凹部から付勢部材を容易に挿抜することができ、光学部品のリワーク性を向上させることができる。
【０００８】
本発明の光学部品用筐体では、前記複数の光学部品が設置される下部筐体と、該下部筐体を閉塞する蓋状の上部筐体とを備え、前記上部筐体の裏面には、前記付勢部材の係合部と係合する係合溝が形成され、前記係合溝の内部には、溝の形成方向に突出する突起部が形成されていることが好ましい。
【０００９】
このような構成では、上部筐体の裏面には、係合溝が形成され、該係合溝に付勢部材の係合部を係合させた状態では、基部および腕部の一方が、上部筐体の裏面と当接し、上部筐体を下部筐体に装着すると、基部および腕部の他方が、光学部品と当接することにより、基部または腕部と対向する位置、すなわち、下部筐体に対する上部筐体の装着方向に、前記外形位置基準面が形成されていれば、上部筐体を下部筐体に装着することで、付勢部材における板ばね構造により、光学部品を外形位置基準面に押圧固定することができ、光学部品を所定の照明光軸上に配置することができる。
このような構成では、係合溝の内部に突起部が形成されていることにより、付勢部材の係合部を係合溝に挿入すると、係合部は、係合溝の内側面と突起部とにより圧着され、上部筐体を下部筐体に対して装着する際に、上部筐体から付勢部材が外れることを回避することができる。
したがって、下部筐体に対して上部筐体を装着する際の作業を簡素化し、作業効率を向上させることができる。
【００１５】
また、本発明の光学ユニットは、光源から射出された光束の光路上に配置される複数の光学部品と、内部に前記光束の照明光軸が設定され、前記複数の光学部品を収納して所定位置に配置する光学部品用筐体とを備えた光学ユニットであって、上述のいずれかの光学部品用筐体と、上述の付勢部材とを備えていることを特徴とするものである。
このような本発明によれば、前述の光学部品用筐体を備えることで、前述したように本発明の目的が達成されるうえ、前述の他の作用効果をも同様に奏する。
また上述した光学部品用筐体を用いれば、光学ユニット内部の光学部品を容易に交換でき、リワーク性を向上させることができるようになる。
【００１６】
さらに、本発明のプロジェクタは、上述の光学ユニットを備えていることを特徴とするものである。
このような本発明によれば、前述の光学ユニットを備えることで、前述したように本発明の目的が達成されるうえ、前述の他の作用効果をも同様に奏する。
【００１７】
【発明の実施の形態】
以下、本発明の一実施形態を図面に基づいて説明する。
〔１．プロジェクタの主な構成〕
図１は、本発明に係るプロジェクタ１を上方前面側から見た斜視図である。図２は、プロジェクタ１を下方背面側から見た斜視図である。
図１または図２に示すように、プロジェクタ１は、略直方体状の外装ケース２を備える。この外装ケース２は、プロジェクタ１の本体部分を収納する合成樹脂製の筐体であり、アッパーケース２１と、ロアーケース２２とを備え、これらのケース２１，２２は、互いに着脱自在に構成されている。
【００１８】
アッパーケース２１は、図１，２に示すように、プロジェクタ１の上面、側面、前面、および背面をそれぞれ構成する上面部２１Ａ、側面部２１Ｂ、前面部２１Ｃおよび背面部２１Ｄを含んで構成される。
同様に、ロアーケース２２も、図１，２に示すように、プロジェクタ１の下面、側面、前面、および背面をそれぞれ構成する下面部２２Ａ、側面部２２Ｂ、前面部２２Ｃ、および背面部２２Ｄを含んで構成される。
【００１９】
従って、図１，２に示すように、直方体状の外装ケース２において、アッパーケース２１およびロアーケース２２の側面部２１Ｂ，２２Ｂ同士が連続的に接続されて直方体の側面部分２１０が構成され、同様に、前面部２１Ｃ，２２Ｃ同士の接続で前面部分２２０が、背面部２１Ｄ，２２Ｄ同士の接続で背面部分２３０が、上面部２１Ａにより上面部分２４０が、下面部２２Ａにより下面部分２５０がそれぞれ構成される。
【００２０】
図１に示すように、上面部分２４０において、その前方側には操作パネル２３が設けられ、この操作パネル２３の近傍には音声出力用のスピーカ孔２４０Ａが形成されている。
【００２１】
前方から見て右側の側面部分２１０には、２つの側面部２１Ｂ，２２Ｂを跨る開口２１１が形成されている。ここで、外装ケース２内には、後述するメイン基板５１と、インターフェース基板５２とが設けられており、この開口２１１に取り付けられるインターフェースパネル５３を介して、メイン基板５１に実装された接続部５１Ｂと、インターフェース基板５２に実装された接続部５２Ａとが外部に露出している。これらの接続部５１Ｂ，５２Ａにおいて、プロジェクタ１には外部の電子機器等が接続される。
【００２２】
前面部分２２０において、前方から見て右側で、前記操作パネル２３の近傍には、２つの前面部２１Ｃ，２２Ｃを跨ぐ円形状の開口２２１が形成されている。この開口２２１に対応するように、外装ケース２内部には、投写レンズ４６が配置されている。この際、開口２２１から投写レンズ４６の先端部分が外部に露出しており、この露出部分の一部であるレバー４６Ａを介して、投写レンズ４６のフォーカス操作が手動で行えるようになっている。
【００２３】
前面部分２２０において、前記開口２２１の反対側の位置には、排気口２２２が形成されている。この排気口２２２には、安全カバー２２２Ａが形成されている。
【００２４】
図２に示すように、背面部分２３０において、背面から見た右側には矩形状の開口２３１が形成され、この開口２３１からインレットコネクタ２４が露出するようになっている。
【００２５】
下面部分２５０において、下方から見て右端側の中央位置には矩形状の開口２５１が形成されている。開口２５１には、この開口２５１を覆うランプカバー２５が着脱自在に設けられている。このランプカバー２５を取り外すことにより、図示しない光源ランプの交換が容易に行えるようになっている。
【００２６】
また、下面部分２５０において、下方から見て左側で背面側の隅部には、一段内側に凹んだ矩形面２５２が形成されている。この矩形面２５２には、外部から冷却空気を吸入するための吸気口２５２Ａが形成されている。矩形面２５２には、この矩形面２５２を覆う吸気口カバー２６が着脱自在に設けられている。吸気口カバー２６には、吸気口２５２Ａに対応する開口２６Ａが形成されている。開口２６Ａには、図示しないエアフィルタが設けられており、内部への塵埃の侵入が防止されている。
【００２７】
さらに、下面部分２５０において、後方側の略中央位置にはプロジェクタ１の脚部を構成する後脚２Ｒが形成されている。また、下面部分２５０における前方側の左右の隅部には、同じくプロジェクタ１の脚部を構成する前脚２Ｆがそれぞれ設けられている。つまり、プロジェクタ１は、後脚２Ｒおよび２つ前脚２Ｆにより３点で支持されている。
２つの前脚２Ｆは、それぞれ上下方向に進退可能に構成されており、プロジェクタ１の前後方向および左右方向の傾き（姿勢）を調整して、投写画像の位置調整ができるようになっている。
【００２８】
また、図１，２に示すように、下面部分２５０と前面部分２２０とを跨るように、外装ケース２における前方側の略中央位置には、直方体状の凹部２５３が形成されている。この凹部２５３には、該凹部２５３の下側および前側を覆う前後方向にスライド自在なカバー部材２７が設けられている。このカバー部材２７により、凹部２５３には、プロジェクタ１の遠隔操作を行うための図示しないリモートコントローラ（リモコン）が収納される。
【００２９】
ここで、図３，４は、プロジェクタ１の内部を示す斜視図である。具体的には、図３は、図１の状態からプロジェクタ１のアッパーケース２１を外した図である。図４は、図３の状態から制御基板５を外した図である。
【００３０】
外装ケース２には、図３，４に示すように、背面部分に沿って配置され、左右方向に延びる電源ユニット３と、この電源ユニット３の前側に配置された平面視略Ｌ字状の光学ユニット４と、これらのユニット３，４の上方および右側に配置される制御基板５とを備える。
【００３１】
電源ユニット３は、電源３１と、この電源３１の下方に配置された図示しないランプ駆動回路（バラスト）とを含んで構成される。
電源３１は、前記インレットコネクタに接続された図示しない電源ケーブルを通して外部から供給された電力を、前記ランプ駆動回路や制御基板５等に供給するものである。
前記ランプ駆動回路は、光学ユニット４を構成する図３，４では図示しない光源ランプに、電源３１から供給された電力を供給するものであり、前記光源ランプと電気的に接続されている。このようなランプ駆動回路は、例えば、基板に配線することにより構成できる。
【００３２】
電源３１および前記ランプ駆動回路は、略平行に上下に並んで配置されており、これらの占有空間は、プロジェクタ１の背面側で左右方向に延びている。
また、電源３１はおよび前記ランプ駆動回路は、左右側が開口されたアルミニウム等の金属製のシールド部材３１Ａによって周囲を覆われている。
シールド部材３１Ａは、冷却空気を誘導するダクトとしての機能に加えて、電源３１や前記ランプ駆動回路で発生する電磁ノイズが、外部へ漏れないようにする機能も有している。
【００３３】
制御基板５は、図３に示すように、ユニット３，４の上側を覆うように配置されＣＰＵや接続部５１Ｂ等を含むメイン基板５１と、このメイン基板５１の下側に配置され接続部５２Ａを含むインターフェース基板５２とを備える。
この制御基板５では、接続部５１Ｂ，５２Ａを介して入力された画像情報に応じて、メイン基板５１のＣＰＵ等が、後述する光学装置を構成する液晶パネルの制御を行う。
【００３４】
メイン基板５１は、金属製のシールド部材５１Ａによって周囲を覆われている。メイン基板５１は、図３ではわかり難いが、光学ユニット４を構成する上ライトガイド４７２の上端部分４７２Ａ（図４）に当接している。
【００３５】
〔２．光学ユニットの詳細な構成〕
ここで、図５は、光学ユニット４を示す分解斜視図である。図６は、光学ユニット４を模式的に示す図である。
光学ユニット４は、図６に示すように、光源装置４１１を構成する光源ランプ４１６から射出された光束を光学的に処理して画像情報に対応した光学像を形成し、この光学像を拡大して投射するユニットであり、インテグレータ照明光学系４１と、色分離光学系４２と、リレー光学系４３と、光学装置４４と、投写レンズ４６と、これらの光学部品４１〜４４，４６を収納する合成樹脂製のライトガイド４７（図５）とを備える。
【００３６】
インテグレータ照明光学系４１は、光学装置４４を構成する３枚の液晶パネル４４１（赤、緑、青の色光毎にそれぞれ液晶パネル４４１Ｒ，４４１Ｇ，４４１Ｂとする）の画像形成領域をほぼ均一に照明するための光学系であり、光源装置４１１と、第１レンズアレイ４１２と、第２レンズアレイ４１３と、偏光変換素子４１４と、重畳レンズ４１５とを備える。
【００３７】
光源装置４１１は、放射光源としての光源ランプ４１６と、リフレクタ４１７とを備え、光源ランプ４１６から射出された放射状の光線をリフレクタ４１７で反射して平行光線とし、この平行光線を外部へと射出する。光源ランプ４１６には、高圧水銀ランプを採用している。なお、高圧水銀ランプ以外に、メタルハライドランプやハロゲンランプ等も採用できる。また、リフレクタ４１７には、放物面鏡を採用している。なお、放物面鏡の代わりに、平行化凹レンズおよび楕円面鏡を組み合わせたものを採用してもよい。
【００３８】
第１レンズアレイ４１２は、光軸方向から見てほぼ矩形状の輪郭を有する小レンズがマトリクス状に配列された構成を有している。各小レンズは、光源ランプ４１６から射出される光束を、複数の部分光束に分割している。各小レンズの輪郭形状は、液晶パネル４４１の画像形成領域の形状とほぼ相似形をなすように設定されている。たとえば、液晶パネル４４１の画像形成領域のアスペクト比（横と縦の寸法の比率）が４：３であるならば、各小レンズのアスペクト比も４：３に設定する。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を液晶パネル４４１上に結像させる機能を有する。
なお、以上説明した第１レンズアレイ４１２および第２レンズアレイ４１３が本発明に係る光学部品であり、これら第１レンズアレイ４１２および第２レンズアレイ４１３のライトガイド４７への固定構造の詳細については後述する。
【００３９】
偏光変換素子４１４は、第２レンズアレイ４１３と重畳レンズ４１５との間に配置される。このような偏光変換素子４１４は、第２レンズアレイ４１３からの光を１種類の偏光光に変換するものであり、これにより、光学装置４４での光の利用効率が高められている。
【００４０】
具体的に、偏光変換素子４１４によって１種類の偏光光に変換された各部分光は、重畳レンズ４１５によって最終的に光学装置４４の液晶パネル４４１上にほぼ重畳される。偏光光を変調するタイプの液晶パネル４４１を用いたプロジェクタ１では、１種類の偏光光しか利用できないため、他種類のランダムな偏光光を発する光源ランプ４１６からの光束の略半分が利用されない。このため、偏光変換素子４１４を用いることにより、光源ランプ４１６から射出された光束を全て１種類の偏光光に変換し、光学装置４４での光の利用効率を高めている。なお、このような偏光変換素子４１４は、たとえば特開平８−３０４７３９号公報に紹介されている。
【００４１】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤（Ｒ）、緑（Ｇ）、青（Ｂ）の３色の色光に分離する機能を有している。
【００４２】
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
【００４３】
この際、色分離光学系４２のダイクロイックミラー４２１では、インテグレータ照明光学系４１から射出された光束のうち、赤色光成分と緑色光成分とは透過し、青色光成分は反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光束をその中心軸（主光線）に対して平行な光束に変換する。他の液晶パネル４４１Ｇ、４４１Ｒの光入射側に設けられたフィールドレンズ４１８も同様である。
【００４４】
また、ダイクロイックミラー４２１を透過した赤色光と緑色光のうちで、緑色光は、ダイクロイックミラー４２２によって反射し、フィールドレンズ４１８を通って、緑色用の液晶パネル４４１Ｇに到達する。一方、赤色光は、ダイクロイックミラー４２２を透過してリレー光学系４３を通り、さらにフィールドレンズ４１８を通って、赤色光用の液晶パネル４４１Ｒに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。なお、リレー光学系４３には、３つの色光のうちの赤色光を通す構成としたが、これに限らず、例えば、青色光を通す構成としてもよい。
【００４５】
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される光変調装置としての液晶パネル４４１Ｒ，４４１Ｇ，４４１Ｂと、各液晶パネル４４１Ｒ，４４１Ｇ，４４１Ｂの後段に配置される射出側偏光板４４３と、色合成光学系としてのクロスダイクロイックプリズム４４４とを備える。
【００４６】
液晶パネル４４１Ｒ，４４１Ｇ，４４１Ｂは、例えば、ポリシリコンＴＦＴをスイッチング素子として用いたものである。
光学装置４４において、色分離光学系４２で分離された各色光は、これら３枚の液晶パネル４４１Ｒ，４４１Ｇ，４４１Ｂ、入射側偏光板４４２、および射出側偏光板４４３によって画像情報に応じて変調されて光学像を形成する。
【００４７】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。また、基板を用いずに、偏光膜をフィールドレンズ４１８に貼り付けてもよい。
射出側偏光板４４３も、入射側偏光板４４２と略同様に構成され、液晶パネル４４１（４４１Ｒ，４４１Ｇ，４４１Ｂ）から射出された光束のうち、所定方向の偏光光のみ透過させ、その他の光束を吸収するものである。また、基板を用いずに、偏光膜をクロスダイクロイックプリズム４４４に貼り付けてもよい。
これらの入射側偏光板４４２および射出側偏光板４４３は、互いの偏光軸の方向が直交するように設定されている。
【００４８】
クロスダイクロイックプリズム４４４は、射出側偏光板４４３から射出され、各色光毎に変調された光学像を合成してカラー画像を形成するものである。
クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
【００４９】
以上説明した液晶パネル４４１、射出側偏光板４４３およびクロスダイクロイックプリズム４４４は、一体的にユニット化された光学装置本体４５として構成されている。図７は、光学装置本体４５を示す斜視図である。
光学装置本体４５は、図７に示すように、クロスダイクロイックプリズム４４４と、このクロスダイクロイックプリズム４４４の上面に固定された合成樹脂製の固定板４４７と、クロスダイクロイックプリズム４４４の光束入射端面に取り付けられ、射出側偏光板４４３を保持する金属製の保持板４４６と、この保持板４４６の光束入射側に取り付けられた透明樹脂製の４つのピン部材４４５によって保持される液晶パネル４４１（４４１Ｒ，４４１Ｇ，４４１Ｂ）とを備える。
保持板４４６と液晶パネル４４１との間には、所定間隔の空隙が設けられており、この空隙部分に冷却空気が流れるようになっている。
光学装置本体４５は、固定板４４７に形成された４つの腕部４４７Ａの丸穴４４７Ｂを介して、下ライトガイド４７１にねじ止め固定される。
【００５０】
投写レンズ４６は、光学装置４４のクロスダイクロイックプリズム４４４で合成されたカラー画像を拡大して投写するものである。
ライトガイド４７は、図５に示すように、各光学部品４１２〜４１５，４１８，４２１〜４２３，４３１〜４３４，４４２を上方からスライド式に嵌め込む溝部が形成された下ライトガイド４７１と、下ライトガイド４７１の上側開口を閉塞する蓋状の上ライトガイド４７２とを備えて構成される。
【００５１】
図５に示すように、平面視略Ｌ字状の下ライトガイド４７１の一端側には、光源装置４１１が収容されている。他端側には、下ライトガイド４７１に形成されたヘッド部４７３を介して、投写レンズ４６がねじ止め固定されている。
【００５２】
また、図５に示すように、下ライトガイド４７１に収納された光学装置本体４５は、２つのばね部材５０を挟んだ状態で下ライトガイド４７１にねじ止め固定される。この２つのばね部材５０は、入射側偏光板４４２を下方へと付勢して位置を特定する。
【００５３】
〔３．冷却構造〕
図８は、図４から前記上ライトガイドおよび光学装置本体４５を取り外した図である。また、図９は、光学ユニット４を示す斜視図である。
ここで、プロジェクタ１には、図８，９に示すように、液晶パネル４４１を主に冷却するパネル冷却系Ａと、偏光変換素子４１４を主に冷却する偏光変換素子冷却系Ｂと、電源ユニット３を主に冷却する電源冷却系Ｃと、光源装置４１１を主に冷却する光源冷却系Ｄとが設けられている。
【００５４】
図８に示すように、パネル冷却系Ａでは、電源ユニット３の下側に配置された大型のシロッコファン６１が用いられている。
パネル冷却系Ａでは、図８または図９に示すように、シロッコファン６１によって、外装ケース２の下面部分２５０に形成された吸気口２５２Ａ（図２）から吸入された外部の冷却空気は、図示しないダクトによって光学装置本体４５の下方へと導かれ、下ライトガイド４７１における各液晶パネル４４１の下側に形成された吸入口からライトガイド４７内部へと入る。この冷却空気は、図９に示すように、各液晶パネル４４１Ｒ，４４１Ｇ，４４１Ｂとクロスダイクロイックプリズム４４４との間の空隙を通って、液晶パネル４４１と前記射出側偏光板を冷却し、上ライトガイド４７２と前記制御基板との間の空間に排出される。また、この冷却空気は、各液晶パネル４４１Ｒ，４４１Ｇ，４４１Ｂとフィールドレンズ４１８との間の空隙を通って、液晶パネル４４１と前記入射側偏光板を冷却し、上ライトガイド４７２と前記入射側偏光板との間に排出される。この際、この空間に排出された空気は、上ライトガイド４７２の上端部分４７２Ａと前記制御基板５の当接により、投写レンズ４６側へは流れないようになっている。
【００５５】
偏光変換素子冷却系Ｂでは、前記シロッコファン６１によって吸入された冷却空気は、下ライトガイド４７１の下側に配置された図示しないダクトによって、偏光変換素子４１４の下側まで導かれ、下ライトガイド４７１における偏光変換素子４１４の下側に形成された吸入口からライトガイド４７内へ入り、偏光変換素子４１４を冷却した後に、上ライトガイド４７２に形成された排出口か４７４ら排出される。
【００５６】
電源冷却系Ｃでは、図８に示すように、金属製の板材を挟んでシロッコファン６１の上側に配置された小型のシロッコファン６２が用いられている。
電源冷却系Ｃでは、パネル冷却系Ａによって上ライトガイド４７２と前記制御基板５の間に流れてきた冷却空気は、制御基板５を冷却しつつシロッコファン６２によって吸入され、電源ユニット３の内部側へと排出される。この内部に排出された空気は、シールド部材３１Ａに沿って流れて電源３１および前記ランプ駆動回路を冷却し、シロッコファン６２とは反対側の開口から排出される。
【００５７】
光源冷却系Ｄでは、光源装置４１１の前面側に配置された軸流ファン６３と、この軸流ファン６３に取り付けられたダクト６４とが用いられている。
光源冷却系Ｄでは、電源冷却系Ｃおよび偏光変換素子冷却系Ｂから排出された空気は、軸流ファン６３の吸引によって、光源装置４１１の側面部分に形成されたスリット状の開口から光源装置４１１内に入り込んで光源ランプ４１６を冷却し、ダクト６４を介して、外装ケース２の排気口２２２から外部へと排出される。
【００５８】
〔４．レンズアレイの固定構造〕
図１０は、第１レンズアレイ４１２および第２レンズアレイ４１３のライトガイド４７への固定構造を示す分解斜視図である。
ライトガイド４７は、下ライトガイド４７１を閉塞するように上ライトガイド４７２を設置することにより、第１レンズアレイ４１２および第２レンズアレイ４１３を収納保持するレンズアレイ保持部５００が構成され、このレンズアレイ保持部には、所定の照明光軸上に第１レンズアレイ４１２および第２レンズアレイ４１３を位置決めするための付勢部材５０１が設置される。
レンズアレイ保持部５００において、下ライトガイド４７１には、第１レンズアレイ４１２および第２レンズアレイ４１３をスライドして収納する溝部５０２が形成されている。
【００５９】
溝部５０２は、第１レンズアレイ４１２および第２レンズアレイ４１３を支持するとともに、第１レンズアレイ４１２および第２レンズアレイ４１３を所定の照明光軸上に配置するものであり、Ｚ軸方向（図１０参照）に第１レンズアレイ４１２および第２レンズアレイ４１３の位置を規制するＺ軸位置基準面５０２Ａと、Ｘ軸方向（図１０参照）に第１レンズアレイ４１２および第２レンズアレイ４１３の位置を規制するＸ軸位置基準面５０２Ｂと、ここでは図示は省略するが、Ｙ軸方向（図１０参照）に第１レンズアレイ４１２および第２レンズアレイ４１３の位置を規制するＹ軸位置基準面５０２Ｃとを備えている。
上記のようなＸ軸位置基準面５０２Ｂ、Ｙ軸位置基準面５０２Ｃ、およびＺ軸位置基準面５０２Ａに第１レンズアレイ４１２および第２レンズアレイ４１３を当接することで、これら第１レンズアレイ４１２および第２レンズアレイ４１３の外形位置が設定され、所定の照明光軸上に配置される。
【００６０】
また、この溝部５０２に隣接して、上記付勢部材５０１を収納するための凹部５０３が形成されており、この凹部５０３は、レンズアレイ保持部５００において、投写方向側の側面に位置し、Ｚ軸方向に形成された対向部としての第１凹部５０３Ａと、この第１凹部５０３Ａに対向配置し、Ｘ軸およびＺ軸に対して略４５°方向に形成された傾斜部としての第２凹部５０３Ｂとを備えている。
【００６１】
図１１は、上ライトガイド４７２の裏面を示し、付勢部材５０１の設置状態を示す分解斜視図である。
レンズアレイ保持部５００において、上ライトガイド４７２には、付勢部材５０１の端部と係合する係合溝５０４と、付勢部材５０１と当接する当接面５０５とを有している。
係合溝５０４の内部には、該係合溝５０４の形成方向に突出した突起部５０４Ａが形成されており、付勢部材５０１の端部を係合溝５０４に挿入した際には、該突起部５０４Ａと係合溝５０４の内側面とで付勢部材５０１の端部を圧着する構造となっている。
また、当接面５０５の外周縁には、上ライトガイド４７２の裏面から突出し、付勢部材５０１の位置を規制する付勢部材規制部５０５Ａが形成されている。
この付勢部材規制部５０５Ａにより、付勢部材５０１を安定した位置に固定し、付勢部材５０１による第１レンズアレイ４１２および第２レンズアレイ４１３の固定を確実なものにしている。
【００６２】
図１２は、付勢部材５０１の構造を示す概観斜視図である。
付勢部材５０１は、板状部材から構成され、略中央部分の基部５０１Ａと、この基部５０１Ａの両端から略ハ字状に延出した腕部５０１Ｂと、この腕部５０１Ｂの先端から上記基部５０１Ａと平行するように張り出した脚部５０１Ｃと、図１２中上部に位置する脚部５０１Ｃから垂直方向に延出した係合部５０１Ｄとを備えて構成されている。
このような付勢部材５０１の構成では、腕部５０１Ｂと基部５０１Ａまたは脚部５０１Ｃとの開き角が大きくなり、基部５０１Ａと脚部５０１Ｃとが平面的に近接した状態で、該基部５０１Ａと脚部５０１Ｃとが平面的に離間する方向に力を及ぼす板ばね構造となっている。
この付勢部材５０１は、第１レンズアレイ４１２および第２レンズアレイ４１３をＸ，Ｙ，Ｚ軸方向に付勢するために、第１レンズアレイ４１２および第２レンズアレイ４１３の端部に３箇所ずつ、計６箇所に配置されている。
【００６３】
図１３は、第１レンズアレイ４１２および第２レンズアレイ４１３に対する付勢部材５０１の位置関係を説明する分解斜視図である。
付勢部材５０１は、光束入射方向から見て、第１レンズアレイ４１２および第２レンズアレイ４１３の右側に位置し、Ｚ軸方向に第１レンズアレイ４１２および第２レンズアレイ４１３の位置を規制するＺ軸付勢部材５０１Ｚと、第１レンズアレイ４１２および第２レンズアレイ４１３の左側に位置し、Ｘ軸方向に第１レンズアレイ４１２および第２レンズアレイ４１３の位置を規制するＸ軸付勢部材５０１Ｘと、第１レンズアレイ４１２および第２レンズアレイ４１３の上側に位置し、Ｙ軸方向に第１レンズアレイ４１２および第２レンズアレイ４１３の位置を規制するＹ軸付勢部材５０１Ｙとを備えて構成される。
【００６４】
これら付勢部材５０１の脚部５０１Ｃは、第１レンズアレイ４１２および第２レンズアレイ４１３の四隅部分に当接している。
このように、付勢部材５０１の脚部５０１Ｃが、四隅部分に当接することで、付勢部材５０１から第１レンズアレイ４１２および第２レンズアレイ４１３への力を均一化し、安定して第１レンズアレイ４１２および第２レンズアレイ４１３を押圧することができるようになっている。
【００６５】
ここで、具体的な図示は省略するが、Ｚ軸付勢部材５０１Ｚにおいて、基部５０１Ａは、上記第１凹部５０３Ａ（図１０）の内側面と当接する。また、Ｘ軸付勢部材５０１Ｘにおいて、基部５０１Ａは、上記第２凹部５０３Ｂ（図１０）の内側面と当接する。さらに、Ｙ軸付勢部材５０１Ｙにおいて、基部５０１Ａは、上ライトガイド４７２の当接面５０５（図１１）と当接する。
【００６６】
図１４は、第１レンズアレイ４１２および第２レンズアレイ４１３をレンズアレイ保持部５００に設置し、上ライトガイド４７２を取り外した分解斜視図である。
第１レンズアレイ４１２および第２レンズアレイ４１３を下ライトガイド４７１の溝部５０２にスライドして設置した後、Ｚ軸付勢部材５０１ＺおよびＸ軸付勢部材５０１Ｘがそれぞれ第１凹部５０３Ａおよび第２凹部５０３Ｂに収納される。
ここで、第１レンズアレイ４１２および第２レンズアレイ４１３が溝部５０２に設置された状態では、第１凹部５０３Ａおよび第２凹部５０３Ｂの内側面と第１レンズアレイ４１２および第２レンズアレイ４１３の端部との距離は、付勢部材５０１における基部５０１Ａと脚部５０１Ｃとにおける平面的な距離よりも短く設定されており、Ｚ軸付勢部材５０１ＺおよびＸ軸付勢部材５０１Ｘがそれぞれ第１凹部５０３Ａおよび第２凹部５０３Ｂに収納された状態では、腕部５０１Ｂと基部５０１Ａまたは脚部５０１Ｃとの開き角が大きくなり、基部５０１Ａと脚部５０１Ｃとが平面的に近接し、基部５０１Ａと脚部５０１Ｃとが平面的に離間する方向に力を及ぼして、第１レンズアレイ４１２および第２レンズアレイ４１３は、Ｚ軸方向およびＸ軸方向に押圧され、Ｚ軸位置基準面５０２ＡおよびＸ軸位置基準面５０２Ｂに当接することになる。
また、この状態で、Ｚ軸付勢部材５０１ＺおよびＸ軸付勢部材５０１Ｘの係合部５０１Ｄは、下ライトガイド４７１の上端面から露出し、下ライトガイド４７１に対して挿抜可能となっている。
【００６７】
上ライトガイド４７２の係合溝５０４にＹ軸付勢部材５０１Ｙの係合部５０１Ｄを圧入し、上記第１レンズアレイ４１２および第２レンズアレイ４１３が設置された下ライトガイド４７１に対して、上記上ライトガイド４７２を装着すると、Ｙ軸付勢部材５０１Ｙの脚部５０１Ｃは、第１レンズアレイ４１２および第２レンズアレイ４１３の上側端面に当接する。
ここで、下ライトガイド４７１に対して、上ライトガイド４７２が装着された状態では、上ライトガイド４７２の当接面５０５と下ライトガイド４７１に設置された第１レンズアレイ４１２および第２レンズアレイ４１３の上側端面との距離は、付勢部材５０１における基部５０１Ａと脚部５０１Ｃとの平面的な距離よりも短く設定されており、上ライトガイド４７２を下ライトガイド４７１に装着した状態では、Ｙ軸付勢部材５０１Ｙの基部５０１Ａと脚部５０１Ｃとの平面位置は、上ライトガイド４７２の当接面５０５および下ライトガイド４７１に設置された第１レンズアレイ４１２および第２レンズアレイ４１３の上側端面により、近接した状態となっている。すなわち、Ｙ軸付勢部材５０１Ｙの基部５０１Ａと脚部５０１Ｃとは離間する方向に力を及ぼし、第１レンズアレイ４１２および第２レンズアレイ４１３は、Ｙ軸方向に押圧され、Ｙ軸位置基準面５０２Ｃに当接するようになっている。
【００６８】
以上説明したように、Ｘ軸付勢部材５０１Ｘ、Ｙ軸付勢部材５０１Ｙ、およびＺ軸付勢部材５０１Ｚにより、第１レンズアレイ４１２および第２レンズアレイ４１３は、Ｘ軸方向、Ｙ軸方向、およびＺ軸方向に押圧され、Ｘ軸位置基準面５０２Ｂ、Ｙ軸位置基準面５０２Ｃ、およびＺ軸位置基準面５０２Ａに当接し、照明光軸上の所定位置に配置されるようになっている。
【００６９】
また、第１レンズアレイ４１２および第２レンズアレイ４１３が、照明光軸上の所定位置からずれた場合等の、何らかの不具合が起きた場合には、上ライトガイド４７２を下ライトガイド４７１から取り外すことで、第１レンズアレイ４１２および第２レンズアレイ４１３のＹ軸方向の規制が解放され、Ｚ軸付勢部材５０１ＺおよびＸ軸付勢部材５０１Ｘの係合部５０１Ｄを把持して、上方に引き抜くことで、第１レンズアレイ４１２および第２レンズアレイ４１３のＺ軸方向、およびＸ軸方向の規制が解放される。そして、第１レンズアレイ４１２および第２レンズアレイ４１３を取り外し、第１レンズアレイ４１２および第２レンズアレイ４１３の再位置調整または交換等を行う。
【００７０】
〔５．実施形態の効果〕
上述のような本実施形態によれば、次のような効果がある。
（１）ライトガイド４７には、第１レンズアレイ４１２および第２レンズアレイ４１３の位置を規制するＸ軸位置基準面５０２Ｂ、Ｙ軸位置基準面５０２Ｃ、およびＺ軸位置基準面５０２Ａが形成され、これら基準面に対して、第１レンズアレイ４１２および第２レンズアレイ４１３を押圧固定するＸ軸付勢部材５０１Ｘ、Ｙ軸付勢部材５０１Ｙ、およびＺ軸付勢部材５０１Ｚを備えていることにより、第１レンズアレイ４１２および第２レンズアレイ４１３をライトガイド４７に対して、接着剤等により固着する必要がなく、第１レンズアレイ４１２および第２レンズアレイ４１３が所定の照明光軸上からずれた場合であっても、再度、位置調整を行うことが容易となる。また、製造時において、接着剤等を用いた場合に生じる、接着剤の乾燥時間を考慮する必要がなく、サイクルタイムの低減を図ることができる。
【００７１】
（２）Ｘ軸付勢部材５０１Ｘ、Ｙ軸付勢部材５０１Ｙ、Ｚ軸付勢部材５０１Ｚは、同一形状で構成されていることにより、同一形状である付勢部材５０１によって、Ｘ軸方向、Ｙ軸方向、およびＺ軸方向の３方向から、第１レンズアレイ４１２および第２レンズアレイ４１３をライトガイド４７に対して位置決めを行うことができる。
したがって、３方向における各付勢部材において、それぞれに対応した形状を有する付勢部材を製造する必要がなく、簡素な形状である付勢部材の１種類で構成することができるので、付勢部材の製造において、コスト低減を図ることができる。
【００７２】
（３）付勢部材５０１は、板ばね構造を有していることにより、板材から、打抜きプレス加工、曲げ加工等の成形加工によって容易に製造することができ、付勢部材の製造において、コスト低減を図ることができる。
（４）付勢部材５０１は、略中央部分に位置する基部５０１Ａと、該基部５０１Ａの両端から略ハ字状に延出した腕部５０１Ｂと、この腕部５０１Ｂの先端部から基部５０１Ａと平行するように張り出した脚部５０１Ｃを備えていることにより、基部５０１Ａと脚部５０１Ｃとの平面的な距離よりも短く設定された隙間に該付勢部材５０１を挿入すれば、基部５０１Ａと脚部５０１Ｃとの平面的な距離は短くなり、すなわち、基部５０１Ａと脚部５０１Ｃとが離間する方向に力を及ぼすことができる。
【００７３】
（５）下ライトガイド４７１には、溝部５０２に近接して凹部５０３が形成され、溝部５０２に第１レンズアレイ４１２および第２レンズアレイ４１３をスライドして設置し、Ｚ軸付勢部材５０１ＺおよびＸ軸付勢部材５０１Ｘをそれぞれ第１凹部５０３Ａおよび第２凹部５０３Ｂに挿入すると、これら付勢部材５０１の基部５０１Ａは、凹部５０３の内側面に当接し、脚部５０１Ｃは、第１レンズアレイ４１２および第２レンズアレイ４１３の端部と当接することにより、Ｚ軸付勢部材５０１ＺによりＺ軸方向の位置を規制し、Ｘ軸付勢部材５０１ＸによりＸ軸方向の位置を規制することができる。
したがって、これら付勢部材５０１によって、第１レンズアレイ４１２および第２レンズアレイ４１３をＺ軸位置基準面５０２ＡおよびＸ軸位置基準面５０２Ｂに押圧することができ、第１レンズアレイ４１２および第２レンズアレイ４１３のＺ軸方向およびＸ軸方向の位置を設定することができる。
【００７４】
（６）第１凹部５０３Ａおよび第２凹部５０３ＢにＺ軸付勢部材５０１ＺおよびＸ軸付勢部材５０１Ｘを収納した状態では、これら付勢部材５０１の係合部５０１Ｄが、凹部５０３から露出していることにより、第１レンズアレイ４１２および第２レンズアレイ４１３が所定の照明光軸上からずれた場合であっても、該係合部５０１Ｄを把持して凹部５０３から挿抜することで、再度、第１レンズアレイ４１２および第２レンズアレイ４１３の位置決めを行うことができる。
したがって、第１レンズアレイ４１２および第２レンズアレイ４１３に何らかの不具合があった場合には、凹部５０３から付勢部材５０１を容易に挿抜することができ、第１レンズアレイ４１２および第２レンズアレイ４１３のリワーク性を向上させることができる。
【００７５】
（７）上ライトガイド４７２の裏面には、係合溝５０４を備え、該係合溝５０４にＹ軸付勢部材５０１Ｙの係合部５０１Ｄを係合し、下ライトガイド４７１に対して、上ライトガイド４７２を装着した状態では、Ｙ軸付勢部材５０１Ｙの基部５０１Ａは上ライトガイド４７２の当接面５０５と当接し、脚部５０１Ｃは第１レンズアレイ４１２および第２レンズアレイ４１３の上側端面と当接することにより、上ライトガイド４７２を下ライトガイド４７１に装着した状態で、第１レンズアレイ４１２および第２レンズアレイ４１３をＹ軸方向に押圧し、第１レンズアレイ４１２および第２レンズアレイ４１３の端面をＹ軸位置基準面５０２Ｃに当接させることができる。
したがって、下ライトガイド４７１に対して、上ライトガイド４７２を装着するだけで、第１レンズアレイ４１２および第２レンズアレイ４１３のＹ軸方向の位置を規制することができる。
【００７６】
（８）上ライトガイド４７２の裏面に形成された係合溝５０４の内部には、溝の形成方向に突出して突起部５０４Ａが形成されていることにより、Ｙ軸付勢部材５０１Ｙの係合部５０１Ｄを係合溝５０４に挿入した状態では、該係合部５０１Ｄは、係合溝５０４の内側面と突起部５０４Ａとにより圧着され、上ライトガイド４７２を下ライトガイド４７１に対して装着する際に、係合溝５０４からＹ軸付勢部材５０１Ｙが外れることを回避することができる。
したがって、第１レンズアレイ４１２および第２レンズアレイ４１３のＹ軸方向の規制を容易に行うことができる。
【００７７】
（９）上ライトガイド４７２の裏面に形成された当接面５０５の外周縁には、上ライトガイド４７２の裏面から突出して付勢部材規制部５０５Ａが形成されていることにより、Ｙ軸付勢部材５０１Ｙの位置を規制し、第１レンズアレイ４１２および第２レンズアレイ４１３の付勢状態を安定に保持することができる。
【００７８】
（１０）第２凹部５０３Ｂは、Ｘ軸およびＺ軸に対して、略４５°の方向に形成されていることにより、Ｘ軸付勢部材５０１Ｘを該第２凹部５０３Ｂに収納した状態では、Ｘ軸付勢部材５０１Ｘは、第１レンズアレイ４１２および第２レンズアレイ４１３をＸ軸およびＺ軸に対して略４５°の方向に付勢することになり、Ｘ軸方向のみならず、Ｚ軸方向において、第１レンズアレイ４１２および第２レンズアレイ４１３の位置を規制することができる。すなわち、Ｚ軸方向における第１レンズアレイ４１２および第２レンズアレイ４１３の付勢状態を均一化し、第１レンズアレイ４１２および第２レンズアレイ４１３を確実にＺ軸位置基準面５０２Ａに当接させることができる。
【００７９】
（１１）ライトガイド４７が、第２凹部５０３Ｂを備えていることにより、第１レンズアレイ４１２および第２レンズアレイ４１３の位置をＺ軸方向に規制する際に、確実にＺ軸方向の位置を規制するために、Ｚ軸方向に形成された第１凹部５０３Ａを、投写方向の側面側およびこれと対向する側面の両方に設ける必要がなく、すなわち、該凹部５０３に収納される付勢部材５０１を最低限の個数で構成することができ、コスト低減を図ることができる。
【００８０】
（１２）各付勢部材５０１の脚部５０１Ｃが、第１レンズアレイ４１２および第２レンズアレイ４１３の四隅部分に当接することにより、各付勢部材５０１による押圧力を均一化し、第１レンズアレイ４１２および第２レンズアレイ４１３をＸ軸位置基準面５０２Ｂ、Ｙ軸位置基準面５０２Ｃ、およびＺ軸位置基準面５０２Ａに確実に当接させることができる。
【００８１】
〔６．実施形態の変形〕
なお、本発明は、前記実施形態に限定されるものではなく、本発明の目的を達成できる他の構成等を含み、以下に示すような変形等も本発明に含まれる。
例えば、前記実施形態では、付勢部材５０１において、基部５０１Ａは第１凹部５０３Ａおよび第２凹部５０３Ｂの内側面または上ライトガイド４７２の当接面５０５に当接し、脚部５０１Ｃは第１レンズアレイ４１２および第２レンズアレイ４１３の端面と当接していたが、これに限らず、脚部５０１Ｃが第１凹部５０３Ａ、第２凹部５０３Ｂの内側面または上ライトガイド４７２の当接面に当接し、基部５０１Ａが第１レンズアレイ４１２および第２レンズアレイ４１３の端面と当接するように構成してもよい。ただし、前記実施形態の方が、第１レンズアレイ４１２および第２レンズアレイ４１３の四隅部分を押圧することができ、付勢部材５０１による押圧力を均一化することができるという利点がある。
【００８２】
また、前記実施形態では、凹部５０３は、Ｚ軸方向に形成された第１凹部５０３ＡおよびＸ軸およびＺ軸に対して略４５°の方向に形成された第２凹部５０３Ｂを備えて構成されていたが、これに限らず、下ライトガイド４７１において、投写方向の側面およびこれと対向する側面にＺ軸方向に沿って凹部を形成し、さらに、投写方向の側面またはこれと対向する側面にＸ軸方向に沿って凹部を形成してもよい。ただし、前記実施形態のようにＸ軸およびＺ軸に対して略４５°の方向に形成された第２凹部５０３Ｂを備えて構成した方が、形成する凹部の数を低減することができ、さらに、凹部に収納する付勢部材の個数も低減することができ、コスト低減を図ることができるという利点がある。
さらに、下ライトガイド４７１の底面にＹ軸方向に沿って凹部を形成し、該凹部に付勢部材を収納し、第１レンズアレイ４１２および第２レンズアレイ４１３のＹ軸方向の位置を規制してもよい。この場合には、Ｙ軸位置基準面５０２Ｃは、上ライトガイド４７２の裏面に形成されることになる。
【００８３】
また、前記実施形態では、第１凹部は、下ライトガイド４７１における投写レンズ側に位置し、それに対向して第２凹部が形成されていたが、これに限らず、第２凹部を、下ライトガイド４７１における投写方向の側面に形成し、それに対向して第１凹部を形成した構成でもよい。
【００８４】
また、前記実施形態では、Ｘ軸位置基準面およびＺ軸位置基準面は、レンズ保持部において、外側に拡がる方向に形成されていたが、これに限らず、内側に収束する方向に形成されていてもよい。この場合、第１凹部および第２凹部の位置は、レンズ保持部において、外側に拡がる方向に形成する必要がある。
【００８５】
また、前記実施形態では、第１レンズアレイ４１２および第２レンズアレイ４１３を所定の照明光軸上に配置する際に、第１レンズアレイ４１２および第２レンズアレイ４１３の左右方向、および上側方向の３方向から付勢部材５０１により位置を規制していたが、これに限らず、第１レンズアレイ４１２および第２レンズアレイ４１３の上下方向、および左側または右側の３方向から付勢部材５０１により位置を規制してもよい。すなわち、第１レンズアレイ４１２および第２レンズアレイ４１３をＸ軸、Ｙ軸、Ｚ軸の３方向から位置を規制するような構成であればよい。
【００８６】
また、前記実施形態では、３つの光変調装置を用いたプロジェクタの例のみを挙げたが、本発明は、１つの光変調装置のみを用いたプロジェクタ、２つの光変調装置を用いたプロジェクタ、あるいは、４つ以上の光変調装置を用いたプロジェクタにも適用可能である。
【００８７】
また、前記実施形態では、光変調装置として液晶パネルを用いていたが、マイクロミラーを用いたデバイスなど、液晶以外の光変調装置を用いてもよい。
さらに、前記実施形態では、光入射面と光射出面とが異なる透過型の光変調装置を用いていたが、光入射面と光射出面とが同一となる反射型の光変調装置を用いてもよい。
【００８８】
さらにまた、前各記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【００８９】
【発明の効果】
本発明の光学部品用筐体、この光学部品用筐体を備えた光学ユニットおよびプロジェクタによれば、光学部品の固定構造を簡素化し、リワーク性を向上させるとともに、コスト低減を図ることができる、という効果がある。
【図面の簡単な説明】
【図１】本実施形態に係るプロジェクタを上方前面側から見た全体斜視図である。
【図２】本実施形態に係るプロジェクタを下方背面側から見た全体斜視図である。
【図３】前記実施形態におけるプロジェクタの内部を示す斜視図である。具体的には、図１の状態からプロジェクタのアッパーケースを外した図である。
【図４】前記実施形態におけるプロジェクタの内部を示す斜視図である。具体的には、図３の状態から制御基板を外した図である。
【図５】前記実施形態における光学ユニットを示す分解斜視図である。
【図６】前記実施形態における光学ユニットを模式的に示す図である。
【図７】前記実施形態における光学装置本体を下方側から見た斜視図である。
【図８】前記実施形態におけるパネル冷却系Ａおよび電源冷却系Ｃの冷却空気の流れを説明する図である。
【図９】前記実施形態におけるパネル冷却系Ａおよび偏光変換素子冷却系Ｂの冷却空気の流れを説明する図である。
【図１０】前記実施形態における第１レンズアレイおよび第２レンズアレイの固定構造を示す分解斜視図である。
【図１１】前記実施形態における上ライトガイドの裏面を示し、付勢部材の設置状態を説明する分解斜視図である。
【図１２】前記実施形態における付勢部材の構造を示す概観斜視図である。
【図１３】前記実施形態における第１レンズアレイおよび第２レンズアレイに対する付勢部材の位置関係を説明する分解斜視図である。
【図１４】前記実施形態における下ライトガイドに第１レンズアレイおよび第２レンズアレイを設置した図である。
【符号の説明】
１  プロジェクタ
４  光学ユニット
４６  投写レンズ（投写光学系）
４７  ライトガイド
４１１  光源装置
４１２  第１レンズアレイ
４１３  第２レンズアレイ
４７１  下ライトガイド
４７２  上ライトガイド
５０１  付勢部材
５０１Ａ  基部
５０１Ｂ  腕部
５０１Ｃ  脚部
５０１Ｄ  係合部
５０２Ａ  Ｚ軸位置基準面（外形位置基準面）
５０２Ｂ  Ｘ軸位置基準面（外形位置基準面）
５０２Ｃ  Ｙ軸位置基準面（外形位置基準面）
５０３  凹部
５０３Ａ  第１凹部（対向部）
５０３Ｂ  第２凹部（傾斜部）
５０４  係合溝
５０４Ａ  突起部
【図１】
0004019763.tif 000002
【図２】
0004019763.tif 000003
【図３】
0004019763.tif 000004
【図４】
0004019763.tif 000005
【図５】
0004019763.tif 000006
【図６】
0004019763.tif 000007
【図７】
0004019763.tif 000008
【図８】
0004019763.tif 000009
【図９】
0004019763.tif 000010
【図１０】
0004019763.tif 000011
【図１１】
0004019763.tif 000012
【図１２】
0004019763.tif 000013
【図１３】
0004019763.tif 000014
【図１４】
0004019763.tif 000015